(57)【特許請求の範囲】
【請求項１】
紙製の有底筒状の外筒と、この外筒の内側に挿入された紙製の筒状の内筒と、前記外筒の内側に前記内筒を包み込むように配置された樹脂フィルム製の袋と、前記外筒と前記内筒との間を通り前記外筒に設けた１対の開口から外部に導出されその外部導出部の両端部に手で掴むための把持部を設けた紐状の支持体とを有することを特徴とする溶接ワイヤ収納用容器。
【請求項２】
前記袋は、気化性防錆剤を含むことを特徴とする請求項１に記載の溶接ワイヤ収納用容器。
【請求項３】
前記気化性防錆剤は、前記袋の内面に塗布されていることを特徴とする請求項２に記載の溶接ワイヤ収納用容器。
【請求項４】
収納される溶接ワイヤコイルの上に配置された気化性防錆剤を含むシートを有することを特徴とする請求項１に記載の溶接ワイヤ収納用容器。
【請求項５】
前記気化性防錆剤は、前記シートの下面に塗布されていることを特徴とする請求項４に記載の溶接ワイヤ収納用容器。
【請求項６】
前記気化性防錆剤は、ジシクロヘキシルアミンナイトライト又はジイソプロピルアミンナイトライトを含有していることを特徴とする請求項２乃至５のいずれか１項に記載の溶接ワイヤ収納用容器。
【請求項７】
前記袋は、ポリエチレン又はポリ塩化ビニル製であることを特徴とする請求項１に記載の溶接ワイヤ収納用容器。
【請求項８】
前記外筒の上縁に被冠される紙製の蓋を有することを特徴とする請求項１に記載の溶接ワイヤ収納用容器。
【請求項９】
前記内筒はその底部に紙製の台座を有し、この台座の中央に前記外筒及び内筒と同軸的に配置された芯体を有することを特徴とする請求項１乃至８のいずれか１項に記載の溶接ワイヤ収納用容器。
【請求項１０】
前記袋を構成する樹脂フィルムは、６０μｍ以上の厚さを有することを特徴とする請求項１乃至９のいずれか１項に記載の溶接ワイヤ収納用容器。
【請求項１１】
前記外筒及び内筒は、夫々側壁が角筒状をなすことを特徴とする請求項１乃至１０のいずれか１項に記載の溶接ワイヤ収納用容器。
【請求項１２】
前記請求項１乃至１１のいずれか１項に記載の溶接ワイヤ収納用容器内にコイル状の溶接ワイヤがその軸方向を前記外筒及び内筒の軸方向と一致させて収納されており、前記袋の開口部を緊締して前記溶接ワイヤが前記袋内に封入されていることを特徴とする容器入り溶接ワイヤ。
【請求項１３】
前記外筒の外側が樹脂フィルム製の外袋により包み込まれていることを特徴とすることを特徴とする請求項１２に記載の容器入り溶接ワイヤ。
【請求項１４】
前記外筒の外側が樹脂フィルム製の帯により巻回されていることを特徴とする請求項１２又は１３に記載の容器入り溶接ワイヤ。
【発明の詳細な説明】
【０００１】
【発明の属する技術分野】
本発明は、ソリッドワイヤ又はフラックス入りワイヤ（ＦＣＷ：Flux Cored Wire）を巻回した状態で収納する溶接ワイヤ収納用容器及び容器入り溶接ワイヤに関し、特に、外気からの水分及び湿気の侵入を防止した溶接ワイヤ収納用容器及び容器入り溶接ワイヤに関する。
【０００２】
【従来の技術】
従来の一般的な溶接ワイヤ収納用大容量容器（以下、パックという）は、コイル状の溶接ワイヤをその軸方向を垂直にして収納する有底筒状の容器本体の内面を、樹脂で被覆し、この容器本体の上端開口部に金属製の蓋を被冠し、前記容器本体と前記蓋との境界をゴム製等のシールにより封止して、外気からの水分及び湿気の侵入を防止していた。なお、パックの有底筒状の本体は、その下端及び上端の強度を必要とする部分が、リング状の金属部材により補強されている。
【０００３】
また、使用後のパックは、繰り返し、溶接ワイヤの収納に使用されることもあるが、所定回数使用後、廃棄される。この廃棄に際して、パック本体のリング状の金属部材及び蓋を本体から分別する必要があり、又は、分別せずに全体を産業廃棄物として処理する必要があった。
【０００４】
【発明が解決しようとする課題】
しかしながら、このように、従来のパックは、分別したり又は産業廃棄物として処理したりする必要があって、使用後の廃却処分が煩雑であるという難点がある。
【０００５】
この問題を解決するためには、廃棄物として回収及び再生のルートが確立されている紙をパックの材質とすることが有効である。即ち、溶接ワイヤ収納用容器を、全て段ボール等の紙により製造すれば、使用後の廃却時に容易に回収し、それを紙製品として再生することが容易である。また、廃却が容易であるため、パックを溶接ワイヤの保管及び運搬に一度だけ使用し、収納している溶接ワイヤがなくなった後は、パックを廃却することとすることができる。これにより、使用後のパックを空の状態で溶接ワイヤの製造工場に返還するための無駄な運搬コストを省略することができる。
【０００６】
しかしながら、紙製パックは、従来のパックに比べて外気からの水分及び湿気の侵入に弱く、溶接ワイヤの保管時の酸化等が問題となる。
【０００７】
本発明はかかる問題点に鑑みてなされたものであって、外気からの水分及び湿気の侵入を防止でき、溶接ワイヤを長期にわたり保管することを可能とする溶接ワイヤ収納用容器及び容器入り溶接ワイヤを提供することを目的とする。
【０００８】
【課題を解決するための手段】
本発明に係る溶接ワイヤ収納用容器は、紙製の有底筒状の外筒と、この外筒の内側に挿入された紙製の筒状の内筒と、前記外筒の内側に前記内筒を包み込むように配置された樹脂フィルム製の袋と、前記外筒と前記内筒との間を通り前記外筒に設けた１対の開口から外部に導出されその外部導出部の両端部に手で掴むための把持部を設けた紐状の支持体とを有することを特徴とする。
【０００９】
この溶接ワイヤ収納用容器において、前記袋は、気化性防錆剤を含むことが好ましい。具体的には、例えば、前記気化性防錆剤は、前記袋の内面に塗布されている。
【００１０】
又は、収納される溶接ワイヤコイルの上に配置された気化性防錆剤を含むシートを有することが好ましい。具体的には、例えば、前記気化性防錆剤は、前記シートの下面に塗布されている。
【００１１】
また、前記気化性防錆剤は、例えば、ジシクロヘキシルアミンナイトライト（以下、ＤＩＣＨＡＮという）又はジイソプロピルアミンナイトライト（以下、ＤＩＰＡＮという）を含有しており、前記袋は、例えば、ポリエチレン又はポリ塩化ビニル製である。
【００１２】
この溶接ワイヤ収納用容器において、前記外筒の上縁に被冠される紙製の蓋を有することが好ましい。また、前記内筒はその底部に紙製の台座を有し、この台座の中央に前記外筒及び内筒と同軸的に配置された芯体を設けることができる。更に、前記袋を構成する樹脂フィルムは、６０μｍ以上の厚さを有することが好ましい。そして、前記外筒及び内筒は、例えば、夫々側壁が角筒状をなす。このように、角筒状にすることにより、外筒及び内筒を１枚のシートから組み立てやすくなり、また、使用後に折り畳みやすくなる。
【００１３】
本発明に係る容器入り溶接ワイヤは、本発明に係る溶接ワイヤ収納用容器内にコイル状の溶接ワイヤがその軸方向を前記外筒及び内筒の軸方向と一致させて収納されており、前記袋の開口部を緊締して前記溶接ワイヤが前記袋内に封入されていることを特徴とする。
【００１４】
前記容器入り溶接ワイヤは、前記外筒の外側が樹脂フィルム製の外袋により包み込まれているか、又は前記外筒の外側が樹脂フィルム製の帯により巻回されていることが好ましい。
【００１５】
なお、前記外筒は、段ボール等の紙製とし、段ボールを曲折して有底筒状に成形することができ、前記内筒は、外筒と同様に段ボール等の紙製とし、段ボールを筒状に丸めることにより成形することができる。また、前記樹脂製フィルムとしては、例えば、ポリエチレン又はポリ塩化ビニル等、防湿性、防水性及び撥水性が優れた材質のものを使用することができ、１層又は多層構造にすることができる。
【００１６】
本発明においては、コイル状の溶接ワイヤが内筒内に収納され、更に溶接ワイヤは内筒と共に樹脂フィルム製の袋内に収納され、この袋の開口端部を緊締することにより、溶接ワイヤが樹脂製フィルムの袋内に封止される。これにより、溶接ワイヤの周辺に水分及び湿気が侵入することを防止することができる。更に、外筒の外側も、樹脂製フィルムからなる袋で包み、又は帯で巻回することにより、更に、一層確実に水分及び湿気が溶接ワイヤの周辺に侵入することを防止することができると共に、輸送中の水濡れによる紙（段ボール）の強度の劣化を防止することができる。
【００１７】
そして、本発明においては、容器が段ボール等の紙により成形されているので、その廃却が容易であり、回収及び再生ルートに容易にのせてリサイクルすることができる。
【００１８】
内筒の底部中央に前記内筒及び外筒と同軸的に芯体を立設することにより、溶接ワイヤのコイルを使用する際に、コイル状のワイヤを容器から引き出しやすくなる。フラックス入りワイヤとソリッドワイヤとでは、パック形状が異なり、ソリッドワイヤでは芯体を使用する場合が多く、フラックス入りワイヤでは芯体を使用しない場合が多い。ソリッドワイヤのように、弾性変形耐力が大きいワイヤでは、ワイヤを容器から引き出す際に、絡みが発生しやすい。芯体はこのワイヤ引き出し時の絡みを防止するために使用される。
【００１９】
本発明においては、パック本体の２重構造を利用し、２重構造の間にポリエチレン又はポリ塩化ビニル等の防湿性、防水性及び撥水性が優れた材質であって１層又は多層構造の樹脂製フィルムを設け、この樹脂製フィルムが袋構造となることで、溶接ワイヤの周辺に外気から水分及び湿気が侵入することを防止することができる。袋を構成する樹脂製フィルムの厚さは６０μｍ以上が好ましい。樹脂製フィルムの厚さが６０μｍ未満の場合は、取扱時に裂けやすく、本来の目的を達成することができない。また、外筒及び内筒等を構成する紙は、強度及び取り扱い性の面から段ボールが好ましい。
【００２０】
【発明の実施の形態】
以下、本発明の実施例に係る溶接ワイヤ収納用容器及び容器入りワイヤについて添付の図面を参照して詳細に説明する。図１は本発明の実施例に係る溶接ワイヤ収納用容器１０の組み立て方法を示す分解斜視図、図２は同じく芯体、内筒及び台座の組み立て方法を示す分解斜視図、図３は同じく容器の縦断面図、図４は容器への溶接ワイヤの収納方法を示す縦断面図、図５は蓋の取着方法を示す斜視図、図６は蓋が取着された状態を示す斜視図、図７は容器の外装方法を示す斜視図、図８は同じく容器の外装方法の変形例を示す斜視図である。
【００２１】
溶接ワイヤ収納用容器１０の外筒１１は有底筒状の段ボール製部品であり、横断面は正八角形をなす。内筒１２は正八角形の筒状をなす段ボール製品である。これらの外筒１１及び内筒１２は夫々１枚の段ボールを折り曲げて有底筒状及び筒状に成形されている。内筒１２の下端には、その軸心を中心として相対する位置に、１対の切欠２６が形成されている。
【００２２】
台座１３は中心部に円形の孔３１を有する正八角形の板２８と、正八角形の板２９とを、両者間に、孔３１の直径と同一寸法の内径を有する円筒状のスペーサ部材３０を介在させて平行に配置し、板２８，２９及び部材３０を接着剤により接合して構成されている。芯体１４は段ボールを円筒状に丸め、その一方の突合せ端部に１対の差込溝３４を形成し、他方の突合せ端部に１対の突起３３を形成して、各突起３３を差込溝３４に挿入することにより、芯体１４の円筒形状を確保している。この芯体１４の外径は孔３１の内径と実質的に等しい。そして、芯体１４はその下端部を台座１３の孔３１内に挿入することにより、台座１３と連結されている。なお、台座１３の板２８，２９及び部材３０は、必ずしも接着剤により接合しなくても、芯体１４の下端部を孔３１及びスペーサ部材３０に嵌入するだけで、芯体１４と台座１３とを連結して組み立てることができる。なお、台座１３及び芯体１４も段ボール等の紙製品である。
【００２３】
蓋１６は正八角形の板の各縁部からフランジが垂直に延びる形状を有し、各フランジが外筒１１の外面に接触して外筒１１に嵌合される大きさの形状を有する。これにより、蓋１６が外筒１１の上端開口部に被冠される。蓋１６には対向する１対のフランジの下縁に１対の輪状の弾性部材３７が設けられている。外筒１１には、蓋１６が被冠されたときに各弾性部材３７に整合する位置に、１対の係止片２３が設けられている。この係止片２３は、上寄りの位置に形成された１対の小径孔２２と、下寄りの位置に形成された大径孔２１とを結ぶ三角形の小片であり、１対の小径孔２２と大径孔２１との間は切断されていて、これにより、１対の小径孔２２を結ぶ線を折線として、折れ曲がることができる。弾性部材３７は、係止片２３が閉じているときにこの係止片２３により係止することができ、係止片２３を持ち上げることにより、弾性部材３７の係止を解除することができる。なお、弾性部材３７は、例えば輪ゴムである。また、この蓋１６も段ボール等の紙製品である。
【００２４】
外筒１１の１対の対向する面には、その上部に、１対の孔２０が形成されており、外筒の内面に沿うように配置されたベルト１５が、孔２０を介して外筒１１の外部に導出され、その両端部は外筒１１の外部にて折り返されて輪状をなすようにベルト１５に固定されている。この輪状の部分により手で掴むための把持部３５が構成されている。この紐状の支持体は、有底筒状の外筒と内筒との間に位置することにより、ワイヤと直接接することを回避することが可能なだけではなく、把持部を吊り上げる際、容器の形状を維持することができる。
【００２５】
袋５０は樹脂製フィルムにより成形されており、内筒１２を内包し、外筒１１の内側に配置される大きさを有する。この袋５０の厚さは組み立て作業時の破裂又は切断等を防止するために、６０μｍ以上とすることが好ましい。また、この袋５０を構成する樹脂フィルムは、例えば、ポリエチレン又はポリ塩化ビニル等、防湿性、防水性及び撥水性が優れた材質のものであり、これを１層又は多層構造として使用することができる。多層構造の場合は、全体の厚さが６０μｍ以上であることが好ましい。
【００２６】
次に、上述のごとく構成された溶接ワイヤ収納用容器及び容器入り溶接ワイヤの動作について説明する。図１等に示すように、ベルト１５を外筒１１の内側面及び内底面にはわせ、把持部３５を孔２０から外部に導出させた状態で、樹脂フィルム製の袋５０を外筒内に配置し、更に、内筒１２を外筒１１内に挿入すると共に、台座１３を内筒１２内に押し込み、内筒１２の下端部まで挿入する。これにより、外筒１１と内筒１２との間に樹脂製フィルムからなる袋５０が介在する状態で容器１０が組み立てられ、把持部３５を掴んでこの容器１０を溶接ワイヤの製造ラインに搬送する。
【００２７】
溶接ワイヤの製造ラインにおいては、図４に示すように、製造された溶接ワイヤ３８が巻き付け装置３９から容器内に排出されるようになっており、巻き付け装置３９から出た溶接ワイヤ３８は、巻き付け装置３９が内筒１２の中心を中心として回転することにより、螺旋状に内筒１２内に落とし込まれていく。これにより、コイル状の溶接ワイヤ３８が内筒１２内に収納される。
【００２８】
その後、袋５０の上部を緊締することにより、溶接ワイヤ３８を内筒１２及び台座１３と共に、袋５０内に封止する。そして、図６に示すように、蓋１６を外筒１１上に被冠し、各係合片２３を外筒１１の外側に折り曲げ、１対の弾性部材３７を夫々係合片２３の裏面側を通して係合片２３を元の位置に戻すことにより、各弾性部材３７は小径孔２２を通り係合片２３に係合される。このようにして、蓋１６を外筒１１に固定する。
【００２９】
この溶接ワイヤ入り容器は、把持部３５を掴んで持ち上げることにより、搬送することができる。溶接ワイヤの重量は把持部３５が設けられたベルト１５により支持され、外筒１１、内筒１２及び台座１３、更には袋５０に溶接ワイヤの重量が実質的に印加されることはない。よって、溶接ワイヤの重量により段ボール製の外筒等が破断したりすることはない。なお、芯体１４は、必要に応じて、溶接ワイヤの使用時に、ワイヤコイルの中心に挿入される。これにより、ワイヤの引き出し時に、ワイヤが絡まることを防止できる。この場合に、芯体１４は、図２及び図３に示すように、台座１３の孔３１内に挿入される（但し、これらの図はワイヤ使用時のものではなく、単に芯体１４と台座１３との関係を説明するためにのみ使用する）。
【００３０】
本発明においては、袋５０内に溶接ワイヤが封止されているので、溶接ワイヤ３８の周辺部に外気から水分及び湿気が侵入することを防止することができ、溶接ワイヤ３８を長期にわたり、防水性及び防湿性の環境に保持することができる。また、使用後の容器１０は、樹脂フィルム製袋５０とベルト１５を取り除いた後、紙製品として廃却する。この容器の廃却に際して、袋５０及びベルト１５は、内筒１２を外筒１１から抜脱するだけで容易に取り除くことができ、除去作業が容易である。また、袋５０及びベルト１５を除去した後の容器は、段ボール製品として、市場の回収及び再生ルートにのせることができ、廃却が極めて容易である。
【００３１】
なお、容器の形状は正八角形の角筒状に限らず、多角形状にすればよい。このように、容器を角筒状にすることにより、廃却時に容器を構成する外筒及び内筒等を折り畳みやすくすることができ、廃却物の搬送が容易になる。しかし、本発明はこれに限らず、例えば、図７及び図８に示すように、容器を円筒状に構成することもできる。
【００３２】
また、図７（ａ）に示すように、円筒状の外筒１１１にフランジ付きの円板状の蓋１１６を被冠した後、その全体を、樹脂フィルム製の袋１００により覆う（外装する）ことにより、容器入りワイヤの輸送中に、容器１０が雨水等に濡れることが防止され、段ボール等の紙製の容器が水に濡れることにより容器の強度が劣化することを防止することができる。
【００３３】
この容器全体の樹脂フィルムによる外装は、図７（ｂ）に示すように、樹脂フィルム製の帯状シート１０１を外筒１１１の周囲に巻回することにより行ってもよい。
【００３４】
また、図８（ａ）に示すように、パレット１０３上に樹脂フィルム製シート１０２を重ね、このシート１０２上に２個又は３個以上の複数個の容器を載置し、図８（ｂ）に示すように、全ての容器をシート１０２によりまとめて覆うことにより、複数個の容器を同時に外装することができる。
【００３５】
次に、本発明の第２実施例について説明する。本実施例は、袋５０が気化性防錆剤を含むものである。この気化性防錆剤は、袋５０を構成する樹脂フィルムの作成時に、フィルム内に気化性防錆剤を練り込むことにより、袋５０に添加することができる。また、樹脂フィルムにより袋５０を作成した後、袋５０の内面に気化性防錆剤を塗装したものでもよい。
【００３６】
この袋５０の内面に気化性防錆剤を塗装する場合は、袋５０の内面の全面に気化性防錆剤を塗装しても良いし、例えば、図９（ａ）及び（ｂ）に示すように、局部的に気化性防錆剤を塗装しても良い。図９（ａ）は、多数の平行斜線条のパターンで気化性防錆剤を塗装したもの、図９（ｂ）は、格子状のパターンで気化性防錆剤を塗装したものである。
【００３７】
この場合に、気化性防錆剤としては、ＤＩＣＨＡＮ及びＤＩＰＡＮ等があり、これを単独で又は複合で使用することができる。
【００３８】
図１に示す実施例のように、紙製の外筒１１と内筒１２との間に樹脂フィルムの袋５０を配置した場合、外気からの水分及び湿気の侵入は確実に防止することができるが、袋５０の内側の内筒１２が紙製であることから、紙が保有している水分と、容器内に溶接ワイヤのコイルを収納したときの雰囲気の水分が、急激な気温の低下による結露により、溶接ワイヤに錆を発生させてしまうことがある。この錆の発生を防止するために、容器内に袋入り防錆剤を投入することも考えられるが、容器内に投入された防錆剤は容器の底部に存在する。このため、容器内の上部の溶接ワイヤコイルについては、防錆効果が得られない。また、作業員がこの袋入り防錆剤の投入を失念することもある。
【００３９】
しかし、本第２実施例のように、袋５０自体に気化性防錆剤を含ませ、又は袋５０の内面に気化性防錆剤を塗布することにより、袋５０自体から又は袋５０の内面の塗布層から気化した防錆剤が、容器内に充満し、容器内の溶接ワイヤコイルに対して均一に防錆効果を及ぼす。これにより、容器内の上部のコイル部分まで十分に防錆効果が得られる。また、この袋を使用する限り、防錆剤は確実に容器内に供給される。なお、本第２実施例において、袋入り防錆剤の投入を併用してもよい。
【００４０】
この袋５０が気化性防錆剤を含む場合に、図１０（ａ）及び（ｂ）に示すように、袋５０の内側に配置される内筒１２に、複数個の孔６２、６３を形成することが好ましい。なお、この孔６２，６３は円孔でなくてもよい。図１０（ａ）は比較的大きな孔６２を設けた場合、図１０（ｂ）は比較的小さな孔６３を多数設けた場合である。このように、内筒１２の強度を損なわない程度に孔６２，６３を設けることにより、袋５０から発する防錆剤のガスが、内筒１２を突き抜けて内部の溶接ワイヤコイルに行き渡りやすくなる。
【００４１】
次に、本発明の第３実施例について説明する。本第３実施例は、容器内の上部に、気化性防錆剤を含むシートを配置するものである。このシートは、例えば、図１１（ａ）、（ｂ）に示すように、円板であり、図１１（ａ）に示すシート６４は、平行斜線状のパターンで気化性防錆剤を塗布したものであり、図１１（ｂ）に示すシート６５は、格子状のパターンで気化性防錆剤を塗布したものである。この気化性防錆剤を塗布した面を下方にして、シート６４，６５を溶接ワイヤコイルが収納された容器内の上部、即ち、容器内のコイルの上に載置する。芯体１４を有する場合には、シート６４，６５の中央部を円形にくりぬき、芯体１４を挿通させることにより、コイル上に載置する。
【００４２】
この気化性防錆剤を有するシートは、図１１（ａ）、（ｂ）に示すようなパターン状の塗布に限らず、全面に気化性防錆剤を塗布してもよいし、また、シートを樹脂シートで構成し、この樹脂シートの作成時に、シート内に気化性防錆剤を練り込むことにより、シートに気化性防錆剤を添加してもよい。なお、気化性防錆剤としては、前述のＤＩＣＨＡＮ又はＤＩＰＡＮ等がある。また、気化性防錆剤を有するシートとして、樹脂製に限らず、紙製でも良い。更に、シートは円板状に限らない。
【００４３】
本第３実施例においても、第２実施例と同様に、シートから気化性防錆剤のガスが発生し、容器内の溶接ワイヤコイルの周辺を防錆剤が充満するため、コイルに均一な防錆効果が得られる。
【００４４】
【実施例】
以下、本発明の実施例の効果について、本発明の範囲から外れる比較例と比較して説明する。図１２は試験環境の湿度、温度及び露点温度を示す。この試験環境に溶接ワイヤを３ヶ月間放置した。下記表１は、袋の材質、袋の防錆剤の有無、袋の厚さを示す。この袋を使用して溶接ワイヤのコイルを包装した。この場合に、表１の「工程の作業性」欄には、作業性がよいものを○、作業の途中で袋が裂け、破れが発生した場合を△で示した。「耐吸湿性」欄は、試験前後のワイヤの水分の上昇率（％）が１０％未満の場合に○、１０％以上３０％未満の場合に△、３０％以上の場合に×で示した。なお、試験前後のワイヤの水分の上昇率は、（試験前後のワイヤ水分上昇量）／（試験前のワイヤ水分量）×１００で表される。更に、「錆発生状況」は、錆の発生がない場合を○、若干錆が発生したが溶接欠陥には至らない場合を△、錆が発生した場合を×で表した。
【００４５】
また、表１で、「ＰＥ」とはポリエチレン、「ＰＶＣ」とはポリ塩化ビニルである。溶接ワイヤはフラックス入りワイヤが、ＪＩＳ  Ｚ３３１３  ＹＦＷ−Ｃ５０ＤＲであり、ソリッドワイヤがＪＩＳ  Ｚ３３１２  ＹＧＷ１１である。そして、耐吸湿性はフラックス入りワイヤで評価し、錆発生状況はフラックス入りワイヤと、ソリッドワイヤ（メッキなし及びメッキありの双方）で評価した。パックは図５に示す八角形のものを使用した。
【００４６】
【表１】
0003788771.tif 000002
【００４７】
この表１に示すように、比較例１は袋を使用していないため、ワイヤの耐吸湿性及び錆発生状況が劣るものである。比較例２，３は、袋を使用しているが、材質が紙製であるため、防湿効果が見られず、比較例１と同様に錆が発生した。実施例４乃至６、１２，１３は、樹脂フィルムを使用しているため、比較例１乃至３に対し、錆発生状況が良好である。また、実施例７乃至１１及び１４は、樹脂フィルムの厚さが６０μｍ以上と厚いため、耐吸湿性が優れている。加えて、実施例８，１０，１１は防錆シートを使用しており、実施例７，１１は防錆袋を使用しているため、耐吸湿性及び錆発生状況が更に一層優れたものであった。
【００４８】
【発明の効果】
以上詳述したように本発明によれば、コイル状の溶接ワイヤを内筒内に収納し、溶接ワイヤを内筒と共に樹脂フィルム製の袋により被覆してこの袋の開口端部を緊締することにより、溶接ワイヤを樹脂製フィルムの袋内に封止するので、溶接ワイヤの周辺に水分及び湿気が侵入することを防止することができ、長期にわたる溶接ワイヤの保管が可能となる。特に、前記袋が気化性防錆剤を含むことにより、又は気化性防錆剤を含むシートを容器上部に配置することにより、袋内の溶接ワイヤは、更に一層、均一な防錆効果を得ることができる。
【００４９】
更に、容器全体を樹脂製フィルムからなる袋で包み、又は帯状シートで巻回して、容器全体を外装することにより、輸送中の水濡れによる紙（段ボール）製容器の強度の劣化を防止することができる。
【００５０】
そして、本発明においては、容器が段ボール等の紙により成形されているので、その廃却が容易であり、市場の回収及び再生ルートにのせて容易にリサイクルすることができる。
【００５１】
また、内筒の底部中央に前記内筒及び外筒と同軸的に芯体を立設することにより、使用時の絡みを防止することができる。
【図面の簡単な説明】
【図１】本発明の実施例に係る溶接ワイヤ収納用容器の組み立て方法を示す分解斜視図である。
【図２】同じく内筒１２、台座１３及び芯体１４の組み立て方法を示す分解斜視図である。
【図３】本発明の実施例に係る溶接ワイヤ収納用容器を示す縦断面図である。
【図４】容器内への溶接ワイヤの収納方法を示す縦断面図である。
【図５】蓋を被冠する方法を示す斜視図である。
【図６】蓋を被冠した状態を示す斜視図である。
【図７】（ａ）及び（ｂ）は容器の外装方法を示す斜視図である。
【図８】（ａ）及び（ｂ）は同じく容器の外装方法を示す斜視図である。
【図９】（ａ）及び（ｂ）は本発明の第２実施例を示す袋の図である。
【図１０】（ａ）及び（ｂ）はその変形例を示す内筒の図である。
【図１１】（ａ）及び（ｂ）は本発明の第３実施例を示すシートの図である。
【図１２】試験環境の湿度、温度及び露点温度を示す。
【符号の説明】
１０：溶接ワイヤ収納用容器
１１：外筒
１２：内筒
１３：台座
１４：芯体
１５：ベルト
１６：蓋
２１；大径孔
２２；小径孔
２３：係止片
３５：把持部
３７：弾性部材
３８：溶接ワイヤ
３９：巻き付け装置
５０：袋
６４，６５：シート
１００：袋
１０１：帯状シート
１０２：シート
１１１：外筒
１１６：蓋
【図１】
0003788771.tif 000003
【図２】
0003788771.tif 000004
【図３】
0003788771.tif 000005
【図４】
0003788771.tif 000006
【図５】
0003788771.tif 000007
【図６】
0003788771.tif 000008
【図７】
0003788771.tif 000009
【図８】
0003788771.tif 000010
【図９】
0003788771.tif 000011
【図１０】
0003788771.tif 000012
【図１１】
0003788771.tif 000013
【図１２】
0003788771.tif 000014